(57)【要約】      （修正有）【課題】黒板への線引きが容易で、携行が容易な黒板用直線定規を提供する。【解決手段】裏面に黒板への固定用磁石を付設した左右に長い基板Ａと、基板と同一長さであって、前側に寸法目盛り付きの定規縁１０を形成し、中央に把手１４を設けた定規板Ｂとよりなり、基板上の前部には左右全長に亘って定規板のスライド面を形成すると共に、後部には左右全長に亘って定規板のガイド部を突設し、定規板の後端をガイド部の前端に設けた横溝にスライド自在に嵌入し、定規板の中央部から後側に突出した連結板の後端には挟持部を設け、挟持部をガイド部の後端にスライド自在に係合させ、且つガイド部の中央と連結板の中央には定規板のスライドを阻止する磁石１６を対設し、連結板の左右両側には、ガイド部の左右両端に突設したストップピン１７に当接する係止縁１８を形成したことを特徴とする。【選択図】図１
0003196124.tif 000002
【実用新案登録請求の範囲】
【請求項１】
裏面に黒板への固定用磁石を付設した左右に長い基板と、該基板と同一長さであって、前側に寸法目盛り付きの定規縁を形成し、中央に把手を設けた定規板とよりなり、前記基板上の前部には左右全長に亘って定規板のスライド面を形成すると共に、後部には左右全長に亘って定規板のガイド部を突設し、前記定規板の後端をガイド部の前端に設けた横溝にスライド自在に嵌入し、定規板の中央部から後側に突出した連結板の後端には挟持部を設け、該挟持部を前記ガイド部の後端にスライド自在に係合させ、且つガイド部の中央と連結板の中央には定規板のスライドを阻止する磁石を対設し、連結板の左右両側には、ガイド部の左右両端に突設したストップピンに当接する係止縁を形成したことを特徴とする黒板用直線定規。
【考案の詳細な説明】
【技術分野】
【０００１】
本考案は、学校の教室等において使用する黒板用直線定規に関するものである。
【背景技術】
【０００２】
実開平３−６６７９１号公報には、定規本体内に補助定規をスライド自在に挿入した計測用、線引き用のスライド定規が開示されている。
【０００３】
上記スライド定規は、補助定規を定規本体の一側にのみスライド可能に形成したものであるから、黒板に取り付けた定規本体の一側より補助定規を引き出して線引きした後、定規本体の他側にも一連の線引きをしようとするときは、定規本体を他側に正確に移動しなければならないという問題がある。
【先行技術文献】
【特許文献】
【０００４】
【特許文献１】実開平３−６６７９１号公報
【考案の概要】
【考案が解決しようとする課題】
【０００５】
本考案は、携行が容易で、黒板への長い線引きが可能な黒板用直線定規を提供することを目的としている。
【課題を解決するための手段】
【０００６】
本考案に係る請求項１の黒板用直線定規は、裏面に黒板への固定用磁石を付設した左右に長い基板と、該基板と同一長さであって、前側に寸法目盛り付きの定規縁を形成し、中央に把手を設けた定規板とよりなり、前記基板上の前部には左右全長に亘って定規板のスライド面を形成すると共に、後部には左右全長に亘ってガイド部を突設し、前記定規板の後端をガイド部の前端に設けた横溝にスライド自在に嵌入し、定規板の中央部から後側に突出した連結板の後端には係合部を設け、該係合部を前記ガイド部の後端にスライド自在に係合させ、且つガイド部の中央と連結板の中央には定規板のスライドを阻止する磁石を対設し、連結板の左右両側には、ガイド部の左右両端に突設したストップピンに当接する係止縁を形成したことを特徴としている。
【０００７】
上記請求項１の考案に係る黒板用直線定規は、スチール製の黒板に、基板の裏面に設けた磁石を用いて取り付けた後、定規板の定規縁を用いて黒板に直線を画き、定規板より長い直線を画く場合は基板の左側又は右側に定規板をスライドさせて直線を引く。また所定長さの直線を引く場合は、定規板に設けた寸法目盛を使う。
【０００８】
上記定規板は、基板上に全長に亘って形成した横溝に後端を保持され、連結板の後端に設けた係合部を基板の後側に設けたガイド部に保持されて、左右に円滑にスライドする。
【０００９】
基板のガイド部と定規板のガイド部に設けた磁石により、定規板のスライドが阻止される。また基板から定規板を左又は右に大きくスライドさせた場合、連結板における左又は右の係止縁がガイド部のストップピンに当接し、定規板の基板からの離脱が阻止される。
【考案の効果】
【００１０】
本考案に係る請求項１の黒板用直線定規は、上記のように定規板の後端を基板の横溝に、定規板の中央部に固定した連結板の係合部を基板の後側に設けたガイド縁に夫々嵌合したから、定規板を左右へ円滑にスライドさせることができ、しかも定規板のスライドにより、両定規縁に段差を生ずることがないので、チョークで正確な段差のない直線を画くことができる。
【００１１】
また基板に定規板を合致させるときは、互いに中央に設けた磁石により一体化し、定規板のスライドが阻止されるため、安心して携行することができ、保存上にも便利である。
【図面の簡単な説明】
【００１２】
【図１】本考案に係る黒板用直線定規の実施形態を示す平面図である。
【図２】同上正面図である。
【図３】同上底面図である。
【図４】同上正面図におけるＸ−Ｘ線の拡大断面図である。
【図５】同上実施形態において、定規板をスライドさせた状態を示す一部切欠き平面図である。
【図６】同上正面図である。
【考案を実施するための形態】
【００１３】
以下、本考案に係る黒板用直線定規の実施形態を図１〜図６を参照して詳細に説明する。
【００１４】
符号Ａは長さが１００ｃｍのベニヤ板製の基板であり、Ｂは長さが１００ｃｍで基板Ａ上を左右にスライドするベニヤ板製の定規板である。
【００１５】
上記基板Ａは、底面に複数の板状の磁石１，１を固定した下板２の前半部上に、左右全長に亘って定規板Ｂのスライド面３を形成し、後半部上には細巾の中板４を挟んで上板５を層着することにより、前端に左右全長に亘って横溝６を形成したガイド部７を突設している。このガイド部７の上板５の後端には、後記する連結板における係合部のガイド縁８を形成している。
【００１６】
上記定規板Ｂの前側には、左右全長に亘って基板Ａの前側縁９より僅かに突出した定規縁１０を形成し、定規縁１０に沿って寸法目盛り１１を表示し、後側縁１２を基板Ａにおけるガイド部７の横溝６に、左右方向へスライド自在に嵌合している。また定規板Ｂの中央部には前記ガイド部７上をスライドする連結板１３を設け、この連結板１３の前端位置に把手１４を固定し、連結板１３の後端にはガイド部７における後端のガイド縁８に沿ってスライドする係合部１５を形成している。
【００１７】
前記基板Ａにおけるガイド部６の中央と、定規板Ｂにおける連結板１２の中央に夫々磁石１６，１６を対設し、基板Ａに定規板Ｂを重ね合わせた際の定規板Ｂのスライドを防止している。また連結板１３の左右両側には、定規板Ｂをスライドさせたとき、基板Ａにおけるガイド部６の左右両端に突設したストップピン１７，１７に当接する係止縁１８，１８を形成している。尚、１９はスチール製の黒板である。
【００１８】
上記実施形態における黒板用直線定規は、基板Ａを黒板１９に磁石１，１を用いて固定した後、定規板Ｂの定規縁１０で所定の長さの直線を引き、１ｍ以上に直線を引く場合は、基板Ａを固定したまま、定規板Ｂを左又は右にスライドさせて、段差のない最大１８０ｃｍの直線を引くことができる。
【００１９】
定規板Ｂは基板Ａの横溝６とガイド部７に支持されて、左右に円滑にスライドし、しかも係止縁１８，１８のストップピン１７、１７への衝突により、定規板Ｂの基板Ａからの脱落が防止されるので、安心して線引きができる。しかも使用後、定規板Ｂを基板Ａ上に重ねるときは、基板Ａの磁石１６に定規板Ｂの磁石１６が吸着し、定規板Ｂのスライドが防止されるため、携行上にも便利である。
【００２０】
前記実施形態では、基板Ａも定規板Ｂもベニヤ板により形成したが、杢板とか、軽いプラスチックとか、軽金属により形成することもある。また基板Ａと定規板Ｂの長さを１００ｃｍとしたが、これに限定されるものではない。尚、前記実施形態は黒板による場合であるが、スチール製の白板の場合も同様である。
【符号の説明】
【００２１】
Ａ        基板
Ｂ        定規板
１        磁  石
２        下  板
３        スライド面
４        中  板
５        上  板
６        横  溝
７        ガイド部
８        ガイド縁
９        基板の前側縁
１０      定規縁
１１      寸法目盛磁
１２      定規板の後側縁
１３      連結板
１４      把  手
１５      係合部
１６      磁  石
１７      ストップピン
１８      係止縁
１９      黒  板
【図１】
0003196124.tif 000003
【図２】
0003196124.tif 000004
【図３】
0003196124.tif 000005
【図４】
0003196124.tif 000006
【図５】
0003196124.tif 000007
【図６】
0003196124.tif 000008